(57)【特許請求の範囲】
【請求項１】
第１の方向に開放する開口部を頭頂に備え第１の方向に略円柱状に延びる頸部を有する容器本体と、
前記開口部を覆い、前記頸部に着脱可能に取り付けられる内キャップと、
前記内キャップを覆い、前記内キャップに結合する外キャップとを備え、
前記内キャップは、前記開口部に連通し、前記開口部よりも小さい注出口を有し、
前記外キャップは、略水平方向に広がり前記内キャップを覆う蓋部と、前記蓋部の一方面側から連続する前記内キャップに結合する内周面と、前記一方面側に形成され、前記内キャップに結合した状態で前記注出口を封止する封止部とを有し、
前記内キャップは外周面に雄ねじ部を備え、
前記外キャップは内周面に雌ねじ部を備え、
前記雄ねじ部が前記雌ねじ部に螺合することにより前記外キャップが前記内キャップに結合し、前記内キャップと前記外キャップとは、外キャップが内キャップを封止した状態から反転させることなく、結合した状態で前記頸部から取り外されることを特徴とする、収容容器。
【請求項２】
さらに、前記開口部に嵌合し、前記開口部と、前記注出口に介在する孔部を有する環状の環状部材を備える、請求項１に記載の収容容器。
【請求項３】
前記容器本体は、前記頸部から第１の方向を軸とした径方向に広がる肩部を備え、
前記外キャップは、前記肩部と略同一の外形を径方向に備える、請求項１または２に記載の収容容器。
【請求項４】
第１の方向に開放する開口部を頭頂に備え第１の方向に円柱状に延びる頸部を有し、液体を充填可能な容器本体と、
前記開口部を覆い、前記頸部に着脱可能に取り付けられる内キャップと、
前記内キャップを覆い、前記内キャップに結合する外キャップとを備え、
前記内キャップは、前記開口部に連通し、前記開口部よりも小さい注出口と、外周面に雄ねじ部と、を備え、
前記外キャップは、略水平方向に広がり前記内キャップを覆う蓋部と、前記蓋部の一方面側から連続する前記内キャップに結合する内周面と、前記一方面側に形成され、前記内キャップに結合した状態で前記注出口を封止する封止部と、前記内周面に雌ねじ部と、を備え、
前記雄ねじ部が前記雌ねじ部に螺合することにより前記外キャップが前記内キャップに結合し、前記内キャップと前記外キャップとは、外キャップが内キャップを封止した状態から反転させることなく、結合した状態で前記頸部から取り外される収容容器を用いた液体の充填方法であって、
前記外キャップを前記内キャップに結合させることと、
前記内キャップと前記外キャップとを結合した状態で取り外すことと、
前記内キャップと前記外キャップとを取り外した後に、前記容器本体に前記開口部から液体を充填することとを含む、液体の充填方法。
【請求項５】
第１の方向に開放する開口部を頭頂に備え第１の方向に円柱状に延びる頸部を有する容器本体を封止するキャップであって、
前記開口部を覆い、前記頸部に着脱可能に取り付けられる内キャップと、
前記内キャップを覆い、前記内キャップに結合する外キャップとを備え、
前記内キャップは外周面に雄ねじ部を備え、
前記外キャップは内周面に雌ねじ部を備え、
前記雄ねじ部が前記雌ねじ部に螺合することにより前記外キャップが前記内キャップに結合し、
前記内キャップは、前記開口部に連通し、前記開口部よりも小さい注出口を備え、
前記外キャップは、略水平方向に広がり前記内キャップを覆う蓋部と、前記蓋部の一方面側から連続する前記内キャップに結合する内周面と、前記一方面側に形成され、前記内キャップに結合した状態で前記注出口を封止する封止部とを備え、
外キャップが内キャップを封止した状態から反転させることなく、前記内キャップと前記外キャップとが結合した状態で前記頸部から取り外されることを特徴とする、キャップ。
【請求項６】
第１の方向に開放する円形の開口部を頭頂に備え第１の方向に延びる頸部を有する容器本体と、
前記開口部を覆い、前記頸部に着脱可能に取り付けられる内キャップと、
前記内キャップを覆い、前記内キャップに結合する外キャップと、
前記開口部に嵌合し、内側に折れる折部を有する環状部材とを備え
前記内キャップは外周面に雄ねじ部を備え、
前記外キャップは内周面に雌ねじ部を備え、
前記雄ねじ部が前記雌ねじ部に螺合することにより前記外キャップが前記内キャップに結合し、、
前記内キャップは、前記開口部に連通し、前記開口部よりも小さい注出口を有し、
前記外キャップは、略水平方向に広がり前記内キャップを覆う蓋部と、前記蓋部の一方面側から連続する前記内キャップに結合する内周面と、前記一方面側に形成され、前記内キャップに結合した状態で前記注出口を封止する封止部とを有し、
外キャップが内キャップを封止した状態から反転させることなく、前記内キャップと前記外キャップとは、結合した状態で前記頸部から取り外される、収容容器と、
前記環状部材にはめ込まれる円柱の円筒部材と、前記円筒部材の周囲にわたって形成され、前記環状部材の内壁に密着する螺旋部と、前記円柱の外周面および前記螺旋部にわたって円筒部材の延在方向に延び、径方向に開放する凹部とを備えるスパウト付き容器とを用い、
前記収容容器の前記開口部に前記スパウト付き容器の円筒部材をはめ込み、前記スパウト付き容器に収容された液体を前記収容容器に移し替える液体の詰め替え方法であって、
前記環状部材の前記孔部に前記スパウト付き容器の円筒部材をはめ込み、前記螺旋部を前記環状部材の内壁に密着させることと、
前記スパウト付き容器の液体を移し替えるときに、前記凹部を介して前記収容容器の空気を逃がすことを含む、液体の詰め替え方法。
【発明の詳細な説明】
【技術分野】
【０００１】
本発明は、液体の内容物を詰め替え可能な収容容器、その収容容器のキャップ、その収容容器への液体の充填方法、収容容器に対応したスパウト付き容器および収容容器への液体の詰め替え方法に関し、詳細には、注出口を備える内キャップを取り外し可能とすることにより、液体の内容物を詰め替え容易とする収容容器に関する。
【背景技術】
【０００２】
従来から、液体の内容物を詰め替え可能とする収容容器は数多く開発されている。例えば、特許文献１には、口筒部を通して内容物が充填される容器本体と、前記口筒部に着脱可能な注出栓と、注出栓を覆って本体容器に螺合するオーバーキャップとを備える注出容器が記載されている。
【０００３】
この注出容器によれば、注出栓は、容器本体の口筒部の開口よりも径の小さい注出口が設けられており、液体の注出時(注出容器の使用時)に、注出量の調整を容易にしている。また、オーバーキャップは、注出容器を使用しない時に、注出口を封止するように構成されており、内容物が注出口から漏れ出ることを防止する。さらに、内容物の詰め替え時には、オーバーキャップを外した後に、作業者が注出栓を摘んで取り外し、注出栓の注出口より径の大きい容器本体の口筒部を通して内容物を充填することで、注出口を介して内容物を充填するよりも詰め替えが容易になる。
【０００４】
また、例えば、特許文献２に示すような液体収容容器は、特許文献１の注出容器と同様に、注出量の調整を容易にする注出口の設けられた中栓が容器本体の開口部に取り外し可能に嵌合されており、中栓を取り外すことにより、注出口よりも径の大きい容器本体の開口部に液体を充填することができ、内容物の詰め替えが容易となる。
【０００５】
さらに、この液体収納容器では、中栓を円周方向に回動することで、中栓の外周の下端に設けられた係合突部が、容器本体に設けられた係合突部に乗り上げて、中栓が容器本体から外れる方向に案内され、中栓が容易に取り外される。すなわち、作業者は、中栓を掴んで回転させることにより、中栓を本体容器から容易に取り外すことができる。
【先行技術文献】
【特許文献】
【０００６】
【特許文献１】特開２０１４−５５０１８号公報
【特許文献２】特開２００１−１５８４５６号公報
【発明の概要】
【発明が解決しようとする課題】
【０００７】
しかし、特許文献１では、詰め替え時に、作業者が口筒部に嵌合した注出栓を摘んで中栓を取り外さなければならないので、作業者の手を汚染してしまう可能性があり、詰め替え作業が困難であった。また、特許文献２では、中栓を容易に取り外す構造を採用してはいるが、それでも中栓を手で掴むことには変わりなく、同様に、詰め替え時に作業者の手を汚染してしまう可能性があり、詰め替え作業が困難であった。
【０００８】
本発明は、上記のような注出容器、液体収容容器等の液体の収容容器の課題を解決すべくなされたもので、注出口を備えた内キャップに結合する外キャップと共に該内キャップを容器本体から取り外し可能とすることにより、液体の詰め替え作業を容易にする。
【課題を解決するための手段】
【０００９】
本発明に係る収容容器は、第１の方向に開放する開口部を頭頂に備え第１の方向に略円柱状に延びる頸部を有する容器本体と、前記開口部を覆い、前記頸部に着脱可能に取り付けられる内キャップと、前記内キャップを覆い、前記内キャップに結合する外キャップとを備え、前記内キャップは、前記開口部に連通し、前記開口部よりも小さい注出口を有し、前記外キャップは、前記内キャップに結合した状態で前記注出口を封止する封止部を有し、前記内キャップと前記外キャップとは、結合した状態で前記頸部から取り外されることを特徴とする。
【００１０】
本発明に係る収容容器によれば、内キャップと外キャップとは、結合した状態で容器本体の頸部から取り外される。これにより、作業者は、内キャップを覆う外キャップを掴んで取り外すことで、内キャップに直接触れることなく、外キャップと内キャップとを頸部から取り外すことができる。このとき、前記外キャップは、前記内キャップに結合した状態で、前記内キャップの注出口を封止しているため、取り外されるときに、注出口から容器本体の内容物が漏れ出ることもない。
【００１１】
したがって、収容容器の内容物を詰め替え用とする作業者は、内キャップに触れることなく、内キャップを取り外すことができ、かつ内キャップの注出口から内容物が漏れ出ることもないので、内キャップに付着した内容物や容器本体に残った内容物により、手を汚染されることがない。
【００１２】
本発明に係る収容容器の前記内キャップは外周面に雄ねじ部を備え、前記外キャップは内周面に雌ねじ部を備え、前記雄ねじ部が前記雌ねじ部に螺合することにより前記外キャップが前記内キャップに結合してもよい。このような収容容器によれば、螺合した雄ねじ部と雌ねじ部との全体で外キャップと内キャップとが結合するため、簡易な構造で確実に結合され、内容物が漏れ出すことが防止されるとともに、結合した外キャップと内キャップとを確実に取り外すことができる。
【００１３】
本発明に係る収容容器は、さらに、前記開口部に嵌合し、前記開口部と、前記注出口に介在する孔部を有する環状の環状部材を備えていてもよい。この収容容器によれば、環状部材が、収容容器と内キャップとに介在して密着することにより、収容容器と内キャップとの間から内容物が漏れ出ることを確実に防止できる。したがって、内キャップと容器本体の開口部とを直接密着させる必要がなく、内キャップまたは容器本体に密着構造を設けるよりも収容容器の製造が簡易になるとともに、内容物の漏れ出しを確実に防止できる。
【００１４】
本発明に係る収容容器は、前記容器本体は、前記頸部から第１の方向を軸とした径方向に広がる肩部を備え、前記外キャップは、前記肩部と略同一の外形を径方向に備えていてもよい。このような収容容器によれば、外キャップが、肩部と略同一の外形を有しているため、外キャップが把持されやすく、結合した状態での内キャップの取り外しが容易になる。
【００１５】
本発明に係る液体の充填方法には、第１の方向に開放する開口部を頭頂に備え第１の方向に円柱状に延びる頸部を有し、液体を充填可能な容器本体と、前記開口部を覆い、前記頸部に着脱可能に取り付けられる内キャップと、前記内キャップを覆い、前記内キャップに結合する外キャップとを備え、前記内キャップは、前記開口部に連通し、前記開口部よりも小さい注出口を備え、前記外キャップは、前記内キャップに結合した状態で前記注出口を封止する封止部を備え、前記内キャップと前記外キャップとは、結合した状態で前記頸部から取り外される収容容器が用いられる。
【００１６】
この液体の充填方法は、前記外キャップを前記内キャップに結合させることと、前記内キャップと前記外キャップとを結合した状態で取り外すことと、前記内キャップと前記外キャップとを取り外した後に、前記容器本体に前記開口部から液体を充填することとを含むことを特徴とする。
【００１７】
この液体の充填方法によれば、前記内キャップと前記外キャップとは、結合した状態で前記頸部から取り外される。これにより、内キャップに触れることなく、外キャップと内キャップとを取り外すことができる。このとき、前記外キャップは、前記内キャップに結合した状態で、前記内キャップの注出口を封止しているため、外キャップと内キャップとが取り外されるときに、注出口から容器本体の内容物が漏れ出ることがない。
【００１８】
本発明にかかるキャップは、第１の方向に開放する開口部を頭頂に備え第１の方向に円柱状に延びる頸部を有する容器本体を封止する。前記キャップは、前記開口部を覆い、前記頸部に着脱可能に取り付けられる内キャップと、前記内キャップを覆い、前記内キャップに結合する外キャップとを備え、前記内キャップは、前記開口部に連通し、前記開口部よりも小さい注出口を備え、前記外キャップは、前記内キャップに結合した状態で前記注出口を封止する封止部を備え、前記内キャップと前記外キャップとが結合した状態で前記頸部から取り外されることを特徴とする。
【００１９】
本発明に係るキャップによれば、内キャップと外キャップが結合した状態で容器本体の頸部から取り外される。これにより、作業者は、内キャップに触れることなく、外キャップと内キャップとを頸部から取り外すことができる。このとき、外キャップは、内キャップに結合した状態で、内キャップの注出口を封止しているため、外キャップと内キャップとが取り外されるときに、注出口から容器本体の内容物が漏れ出ることがない。
【００２０】
したがって、収容容器の内容物を詰め替え用とする作業者は、内キャップに触れることなく、内キャップを取り外すことができ、かつ内キャップの注出口から内容物が漏れ出ることもないので、内キャップに付着した内容物や容器本体に残った内容物により、手を汚染されることがない。
【００２１】
本発明に係るスパウト付き容器は、第１の方向に開放する開口部を頭頂に備え第１の方向に延びる頸部を有する容器本体と、円形の孔部を有し、前記開口部に嵌合する環状の環状部材とを備える収容容器に内容物を再充填する。
【００２２】
前記スパウト付き容器は、前記環状部材の孔部にはめ込まれ、前記環状部材の内周面に密着する螺旋部を有する円柱の円筒部材と、前記円筒部の外周面に設けられ前記筒状の延在方向に延び、径方向に開放する凹部とを備え、前記円筒部材が前記環状部材の孔部にはめ込まれた状態で、前記環状部材の内周面に前記螺旋部が密着する。これにより、前記収容容器に固定され、かつ凹部が収容容器の内部に連通して空気穴として機能する。
【００２３】
このスパウト付き容器によれば、該スパウト付き容器の内容物を再充填して詰め替えを行うために、スパウト付き容器の筒状部材が収容容器の環状部材の孔部にはめ込まれる。このとき、円筒部材の外周に設けられた螺旋部が孔部の内周面に密着して、スパウト付き容器が収容容器に固定される。この状態で、円筒部材の延在方向に伸びる凹部が収容容器の開口部から内部に連通して空気孔として機能する。
【００２４】
これにより、詰め替え時に、スパウト付き容器が収容容器に固定されているため、安定した状態で内容物の再充填ができる。そのうえ、スパウト付き容器の円筒部材の凹部が空気孔として機能することにより、内容物が円滑に収容容器の内部に充填される。したがって、内容物の詰め替え作業が容易になる。
【００２５】
本発明に係る詰め替え方法は、第１の方向に開放する円形の開口部を頭頂に備え第１の方向に延びる頸部を有する容器本体と、前記開口部に嵌合し、内側に折れる折部を有する環状部材とを備える収容容器と、前記環状部材にはめ込まれる円柱の円筒部材と、前記円筒部材の周囲にわたって形成され、前記環状部材の内壁に密着する螺旋部と、前記円柱の外周面および前記螺旋部にわたって円筒部材の延在方向に延び、径方向に開放する凹部とを備えるスパウト付き容器とを用いる。
【００２６】
前記詰め替え方法は、前記スパウト付き容器の内容物を前記収容容器に移し替えるべく、前記収容容器の前記開口部に前記スパウト付き容器の円筒部材をはめ込み、前記スパウト付き容器の内容物を前記収容容器に移し替える。この詰め替え方法は、前記環状部材の前記孔部に前記スパウト付き容器の円筒部材をはめ込み、前記螺旋部を前記環状部材の内壁に密着させることと、前記スパウト付き容器の内容物を移し替えるときに、前記凹部を介して前記収容容器の空気を逃がすことを含む。
【００２７】
この詰め替え方法によれば、スパウト付き容器の内容物を再充填して詰め替えを行うために、スパウト付き容器の円筒部材が収容容器の環状部材の孔部にはめ込まれる。このとき、円筒部材の外周に設けられた螺旋部が孔部の内周面に密着して、スパウト付き容器が収容容器に固定される。この状態で、円筒部材の延在方向に伸びる凹部が収容容器の開口部から内部に連通して空気孔として機能する。
【００２８】
これにより、詰め替え時に、スパウト付き容器が収容容器に固定されているため、安定した状態で内容物の再充填ができる。そのうえ、スパウト付き容器の円筒部材の凹部が空気孔として機能することにより、内容物が円滑に収容容器の内部に充填される。したがって、内容物の詰め替え作業が容易になる。
【発明の効果】
【００２９】
本発明は、注出口を備えた内キャップを封止する外キャップと共に該内キャップを容器本体から取り外し可能とすることにより、液体の詰め替え作業を容易にする。
【図面の簡単な説明】
【００３０】
【図１】本発明の実施の形態に係る収容容器の構成を示す斜視図である。
【図２】図１に示す容器本体を示す図である。
【図３】図１に示す環状部材を示す図である。
【図４】図１に示す内キャップを示す図である。
【図５】図１に示す外キャップを示す図である。
【図６】図１に示す容器本体に環状部材を取り付けた状態を示す断面図である。
【図７】図１に示す容器本体に環状部材および内キャップを取り付けた状態を示す断面図である。
【図８】図１に示す容器本体に環状部材、内キャップおよび外キャップを取り付けた状態を示す断面図である。
【図９】本発明の実施の形態に係る収容容器の各状態を示す斜視図である。
【図１０】図１に示す収容容器に液体を詰め替えるためのスパウト付き容器を示す図である。
【図１１】図１に示す収容容器にスパウト付き容器をはめ込んだ状態を示す断面図である。
【図１２】本発明の実施の形態に係る収容容器への液体の詰め替え方法を示すフロー図である。
【発明を実施するための形態】
【００３１】
本発明の実施の形態に係る収容容器Ｖについて図面を参照して説明する。収容容器Ｖは、化粧水等の液体が内容物として充填される。本明細書において、液体は、物質の三態において固体と気体とに分類されないものをいい、水のような低粘度のものに限らず、ペースト、ジェル等の粘度の高いものも含む。
【００３２】
図１は、本発明の実施の形態に係る収容容器Ｖを構成する容器本体２、環状部材３、内キャップ４および外キャップ５の斜視図を示す。本発明の実施の形態に係る収容容器Ｖは、容器本体２と、環状部材３と、内キャップ４と、外キャップ５とを含む。収容容器Ｖは、容器本体２に環状部材３が取り付けられ、その上から、環状部材３を覆うように内キャップ４が取り付けられ、さらに、内キャップ４を覆うように外キャップ５が取り付けられる。
【００３３】
図２は、本発明の実施の形態に係る収容容器Ｖの容器本体２を示し、図２(Ａ)は容器本体２の正面図、図２(Ｂ)は容器本体２の側面図、図２(Ｃ)は容器本体２の平面図、図２(Ｄ)は容器本体２の頸部付近を拡大した断面図を示す。図２(Ｄ)は、図２(Ｃ)の２Ｄにより切断した断面図である。
【００３４】
容器本体２は、プラスティックのような剛性の高い樹脂を材料とし、自立可能なボトル型の形状となっており、略楕円柱状に鉛直方向に伸びる本体部２０と、本体部２０の上端から、鉛直方向に円柱状に延びる頸部２１と、頸部２１と本体部２０に介在する肩部２２とを備える。本体部２０と頸部２１とは、上方からの平面視で、本体部２０の楕円と頸部２１の円とが中心線を共通にするように連なっている(図２(Ｃ)を参照)。本体部２０は、内部に液体を収容する収容空間２３を備える(図２(Ｄ)を参照)。
【００３５】
肩部２２は、上方からの平面視で、楕円状に広がっている(図２(Ｃ)を参照)。頸部２１は、本体部２０の収容空間２３に繋がる円形の開口部２４と、開口部２４から本体部２０に向けて鉛直方向に延びる側壁部２５と、側壁部２５から外側に膨出する第１の膨出部２６、第２の膨出部２７、第３の膨出部２８とを上側から順に備える。開口部２４は、頸部２１の頭頂に形成され、鉛直方向の上方に開放している。
【００３６】
第１、第２および第３の膨出部２６、２７、２８は、それぞれ、上方からの平面視で円形となる第１の鍔部２６ｆ、第２の鍔部２７ｆおよび第３の鍔部２８ｆを形成している(図２(Ｃ)を参照)。また、第３の鍔部２８ｆには、本体部２０の楕円の長軸上に対応する位置に一対の位置決突起２９が形成されている。
【００３７】
図３は、本発明の実施の形態に係る収容容器Ｖの環状部材３を示し、図３(Ａ)は環状部材３の正面図、図３(Ｂ)は環状部材３の側面図、図３(Ｃ)は環状部材３の平面図、図３(Ｄ)は環状部材３の断面図を示す。図３(Ｄ)は、図３(Ｃ)の３Ｄにより切断した断面図である。
【００３８】
環状部材３は、ゴムのような弾性の高い樹脂を材料とし、全体的に、中央に孔部３１を有する環状に形成されており、内周壁部３２と、外周壁部３３と、内周壁部３２と外周壁部３３とを繋ぐ平坦部３４とを有する。環状部材３は、上方からの平面視で、内周（内周壁部３２）および外周（外周壁部３３）が正円に形成されている(図３(Ｃ)を参照)。
【００３９】
また、環状部材３は、断面視で、逆Ｕ字状に形成されており、内周壁部３２と外周壁部３３とがＵ字の両辺に対応し、平坦部３４がＵ字の底辺に対応する(図３(Ｄ)を参照)。内周壁部３２と外周壁部３３とは、平坦部３４から同程度の長さ寸法で延びる。また、内周壁部３２の内側は環状部材３の孔部３１として形成されている。内周壁部３２の下端は内側に折れる折部３５として形成されている。外周壁部３３の下端は、内周壁に向かって突出する突出部３６を有する。
【００４０】
図４は、本発明の実施の形態に係る収容容器Ｖの内キャップ４を示し、図４(Ａ)は内キャップ４の正面図、図４(Ｂ)は内キャップ４の側面図、図４(Ｃ)は内キャップ４の平面図、図４(Ｄ)は内キャップ４の断面図を示す。図４(Ｄ)は、図４(Ｃ)の４Ｄにより切断した断面図である。
【００４１】
内キャップ４は、プラスティックのような剛性の高い樹脂を材料とし、外形的に概略、下方に開放した有底円筒状に形成されており、有底円筒の底面にあたる円底面の中央に円形の注出口４１を有する。注出口４１は、容器本体２の開口部２４および環状部材３の孔部３１に比較して径が小さい。
【００４２】
また、内キャップ４は、内壁部４２と、外壁部４３と、内壁部４２と外壁部４３とを繋ぐ扁平部４４とを有し（図４（Ｄ）を参照）、外壁部４３が有底円筒の外周面に対応し、扁平部４４が有底円筒の円底面に対応する。内壁部４２と外壁部４３とは、鉛直方向に略平行に延びている。外壁部４３は内壁部４２に比較して長い寸法で鉛直方向に延びる。内壁部４２は、注出口４１を形成し、外壁部４３の外周面は、内キャップの外周面４３ａとなる。
【００４３】
外壁部４３は、外周面の鉛直方向の略中央に雄ねじ部４５を備える。雄ねじ部４５は後述する外キャップ５の雌ねじ部５５に螺合する。また、外壁部４３は、下端に一対の係止部４６を備える。一対の係止部４６は、周方向に１８０°の間隔を置いて配置されている。各係止部４６は、小係止突起４６ａと大係止突起４６ｂとからなり、小係止突起４６ａと大係止突起４６ｂとは、所定の間隔をおいて同じ水平位置に設けられている。さらに、外壁部４３は、下端に対向する一対の位置決凹所４７を備える。係止部４６と位置決凹所４７とは、それぞれ、周方向に９０度の間隔を置いて配置されている。
【００４４】
内壁部４２は、扁平部４４を超えて鉛直方向の上方に延びる延在部４８を備える。延在部４８は平面視で円形に形成されている。また、延在部４８は、側面視で、上方ほど外側に向かって傾斜する(図４(Ｄ)を参照)。これにより、注出口４１の上部はすり鉢状に形成される。また、内壁部４２は、延在部４８の下端から延びる肉厚部４２ａと肉厚部４２ａの下端から延びる肉薄部４２ｂとを備える。
【００４５】
図５は、本発明の実施の形態に係る収容容器Ｖの外キャップ５を示し、図５(Ａ)は外キャップ５の正面図、図５(Ｂ)は外キャップ５の側面図、図５(Ｃ)は外キャップ５の平面図、図５(Ｄ)は外キャップ５の断面図、図５(Ｅ)は上下を反転させた概略斜視図を示す。図５(Ｄ)は、図５(Ｃ)の５Ｄにより切断した断面図である。
【００４６】
外キャップ５は、プラスティックのような剛性の高い樹脂を材料とし、外形的には概略、楕円柱の形状に形成されている。外キャップ５は、平面視で、容器本体２の肩部２２とほぼ同一の楕円形状を有する(図５(Ｃ)を参照)。これにより、外キャップ５は、平面視で、容器本体２と略同一の外形を径方向に有する。
【００４７】
外キャップ５は、内枠部５２と、外枠部５３と、内枠および外枠部５３を繋ぎ、略水平方向に広がる蓋部５４とを備える（図５（Ｄ）を参照）。内枠部５２と外枠部５３とは、側面視で、鉛直方向に略平行に延びている。外枠部５３は内枠部５２に比較して長い寸法で鉛直方向に延びる。
【００４８】
外枠部５３は、平面視で外キャップ５の外周を形成する楕円形状に、内枠部５２は、平面視で内キャップ４に対応した円形状に形成されている。内枠部５２は内周面５２ａに雌ねじ部５５が形成されている。内枠部５２の内周面は、外キャップ５の内周面となる。また、内枠部５２は、下端に一対の係止突起５６を備える。係止突起５６は、外枠部５３の楕円の短軸方向に対応して配置されている。蓋部５４は、支持部５７と、封止部５８とを備える。支持部５７と封止部５８とは、平面視で円形に、側面視で鉛直方向に延びる。支持部５７は、封止部５８の外側に配置されている。
【００４９】
図６は、容器本体２の開口部２４に環状部材３が嵌合して取り付けられた収容容器Ｖの頸部２１付近の断面図を示す。
【００５０】
環状部材３は、容器本体２の開口部２４に嵌合して着脱可能に取り付けられる。環状部材３の孔部３１は、容器本体２の開口部２４に連通する。環状部材３は、内周壁部３２と外周壁部３３とに頸部２１の側壁部２５を挟み込むように嵌合する。環状部材の平坦部３４は、側壁部２５の上端に載置されて接している。内周壁部３２および外周壁部３３は、側壁部２５の上端に密着した平坦部３４から第１の鍔部２６ｆを超える位置まで鉛直方向の下方に延びている。
【００５１】
頸部２１の開口部２４に嵌合した環状部材３において、外周壁部３３の突出部３６は、頸部２１の第１の鍔部２６ｆである第１の膨出部２６に鉛直方向に係合することで、ストッパーとして機能する。したがって、環状部材３は頸部２１の開口部２４に嵌合すると容易に分離しない。内周壁部３２は側壁部２５に密着している。すなわち、環状部材３の内周壁部３２により形成される円環の外径が、収容容器２の側壁部２５により形成される円環の内径に対して、僅かに大きく形成されており、環状部材３が頸部２１にはめ込まれることにより、環状部材３の内周壁部３２が収容容器２の側壁部２５に適合して弾性変形する。
【００５２】
図７に示すように、内キャップ４は、容器本体２の開口部２４および環状部材３を覆うように取り付けられる。内キャップ４は、容器本体２の開口部２４に嵌合した環状部材３を内壁部４２と外壁部４３とで挟み込むようにはめ込まれて頸部２１に着脱可能に取り付けられる。内キャップ４の注出口４１は、環状部材３の孔部３１を介して容器本体２の開口部２４および収容空間２３に連通する。
【００５３】
内キャップ４は、開口部２４に取り付けられた状態で、内壁部４２の肉薄部４２ｂにおいて環状部材３の折部３５に密着している。すなわち、内壁部４２の肉薄部４２ｂにより形成される円環の外径が、環状部材３の折部３５により形成される円環の内径に対して、僅かに大きく形成されており、内キャップ４が環状部材３にはめ込まれることにより、環状部材３の折部３５が内キャップ４２の肉薄部４２ｂの外形に適合して弾性変形する。これにより、内キャップ４は、環状部材３に保持されて容器本体２に固定される。
【００５４】
また、内キャップ４の内壁部４２の肉薄部４２ｂにおいて環状部材３の折部３５に密着することにより、内キャップ４と収容容器Ｖが封止される。外壁部４３の下端の位置決凹所４７は容器本体２の位置決突起２９にはめ込まれる。内キャップ４の位置決凹所４７が頸部２１の位置決突起２９にはまり込むことにより、内キャップ４は周方向に位置決めされる。本実施の形態において、内キャップ４は、係止部４６が容器本体２の楕円の短軸方向に位置するように位置決めされる（図９（Ｃ）を参照）。
【００５５】
図８に示すように、外キャップ５は、容器本体２の開口部２４に取り付けられた内キャップ４を蓋部５４が覆うように内キャップ４の雄ねじ部４５に、雌ねじ部５５を螺合させて内キャップ４に結合する。すなわち、外キャップは周方向に回転することにより内キャップに結合され、鉛直方向に固定される。本実施の形態において、外キャップ５は内キャップ４に右ねじで螺合する。
【００５６】
支持部５７は、内キャップ４の延在部４８と鉛直方向に略同一の長さ寸法に形成されている。支持部５７の下端は、外キャップ５が内キャップ４に結合した状態で内キャップ４の扁平部４４に接している。封止部５８は、すり鉢状の延在部４８の内側に密着するように形成されている。これにより、外キャップ５が内キャップ４に螺合した状態で、内キャップ４の注出口４１が封止される。したがって、外キャップ５と内キャップ４とは、容器本体２の開口部２４を封止するキャップとして機能する。
【００５７】
外キャップ５が回転して内キャップ４に螺合していくと、外キャップ５の内枠部５２に設けられた係止突起５６が内キャップ４の係止部４６に係合する。すなわち、係止突起５６が小係止部４６ａを乗り越えて、大係止部４６ｂと接触し、小係止部４６ａと大係止部４６ｂとの間隙に填まり込む。これにより、内キャップ４に対して周方向に係止される。
【００５８】
内キャップ４は、容器本体２に対して位置決めされているため、外キャップ５も容器本体２に対して位置決めされる。本実施の形態において、容器本体２の楕円と外キャップ５の楕円が長軸を同一とする位置で、外キャップ５が容器本体２に対して位置決めされる（図９（Ｄ）を参照）。
【００５９】
収容容器Ｖは、図９に示すように、次の手順で組み立てられる。先ず、容器本体２が準備される(図９(Ａ)を参照)。次いで、容器本体２に環状部材３を嵌合させる(図９(Ｂ)を参照)。次いで、容器本体２の開口部２４を覆うように内キャップ４を取り付ける(図９(Ｃ)を参照)。このとき、環状部材３は開口部２４と内キャップ４に介在し、容器本体２と内キャップ４とを封止する。次いで、内キャップ４の雄ねじ部４５に外キャップ５の雌ねじ部５５を螺合させて、外キャップ５が内キャップ４に結合される(図９(Ｄ))。このとき、内キャップ４の注出口４１は、外キャップ５の封止部５８に封止されている。
【００６０】
本実施の形態において、外キャップ５が内キャップ４に結合した状態で外キャップを掴んで内キャップ４を容器本体から取り外すことができる。これにより、内キャップを掴んで容器本体を取り外す場合に比較して、内キャップ４の取り外し作業が容易になる。また、外キャップ５は内キャップ４に螺合で結合し、内キャップ４は、容器本体２に嵌合している。よって、内キャップの取り外しは、回動を要することなく、外キャップを上方に引っ張ることにより達成される。これにより、内キャップを回動させて取り外す場合に比較して、内キャップ４の取り外しが容易になる。
【００６１】
このように、本実施の形態に係る収容容器２は、特別に複雑な構成によることなく、内キャップ４の取り外しが非常に容易になっている。これにより、収容容器２によれば、誰にでも(例えば、子供やお年寄りでも)扱いやすい、いわゆるユニバーサルデザインが達成されている。
【００６２】
本実施の形態において、収容容器は、ボトル形状の容器本体を例に説明してきた。しかし、収容容器は、チューブ形状や袋状の容器であってもよい。また、内キャップは、環状部材を介して容器本体に取り付けられている。しかし、内キャップは、環状部材を介さずに容器本体に取り付けられてもよい。例えば、内キャップに、容器本体に結合手段を設け、容器本体と密着する封止構造を設けてもよい。
【００６３】
また、本実施の形態において、外キャップと内キャップとは、螺合により結合している。しかし、外キャップと内キャップとは、異なる手段により結合されてもよい。本実施の形態において、外キャップは、平面視で、収容容器の肩部と同様の外形形状に形成されている。しかし、外キャップは、内キャップを覆って封止できれば、他の形状であってもよい。
【００６４】
次に、収容容器Ｖに内容物を詰め替えるためのスパウト付き容器Ｓについて説明する。図１０は、本発明の実施の形態に係るスパウト付き容器Ｓを示し、図１０(Ａ)はスパウト付き容器Ｓのスパウト部６の正面図、図１０(Ｂ)はスパウト付き容器Ｓのスパウト部６の側面図、図１０(Ｃ)はスパウト付き容器Ｓのスパウト部６の平面図、図１０(Ｄ)はスパウト付き容器Ｓのスパウト部６の斜視図を示す。
【００６５】
スパウト付き容器Ｓは、スパウト部６と、スパウト部６に続く本体容器部(図示しない。)とを備える。スパウト付き容器Ｓは、スパウト部６を収容容器２の開口部２４に挿入して収容容器２に内容物である液体を詰め替える。本体容器部は、ボトル容器や袋容器等のように収容空間を有し、詰め替え用の内容物を収容している。
【００６６】
スパウト部６は、本体容器部に繋がるベース６０と、ベース６０から上方に延びる円筒部材６１からなる。ただし、円筒部材６１は、ベース６０を介さず本体容器に直接繋がっていてもよい。円筒部材６１は、延在方向に貫通しており、本体容器部の収容空間に連通している。
【００６７】
円筒部材６１は、外周において延在方向の略中央に螺旋部６２を備える。螺旋部６２は、従来よく知られるように、スパウト付き容器Ｓのスパウト部６を封緘する蓋キャップ(図示しない)に設けられた雌ネジ部に螺合する。これにより、スパウト付き容器Ｓは、蓋キャップにより封緘される。
【００６８】
また、円筒部材６１は、延在方向に延び、径方向に開放する一対の凹部６３を備える。一対の凹部６３は、平面視で、周方向に１８０°ずれた位置に設けられている。さらに、円筒部材６１は、延在方向のベース６０側にフランジ部６４を備える。フランジ部６４は、平面視で円盤状になるように設けられている。
【００６９】
次に、詰め替えのために、スパウト付き容器Ｓが容器本体２に取り付けられた状態について説明する。図１１は、スパウト付き容器Ｓの筒状部材６１が容器本体２の開口部２４にはめ込まれた状態の頸部付近を拡大して示す断面図である。
【００７０】
スパウト付き容器Ｓは、環状部材３が嵌合した状態の収容容器２にはめ込まれる。螺旋部６２の外周端は、環状部材３の孔部３１に対応した形状を有しており、筒状部材６１が孔部３１にはめ込まれた状態で環状部材３の内周壁部３２に密着する。また、環状部材３の折部３５の内周端は、筒状部材６１の外周面に対応しており、筒状部材６が孔部３１にはめ込まれた状態で筒状部材６１に密着する。折部３５と螺旋部６２は鉛直方向に係合する。これらにより、スパウト部６は、収容容器２に固定される。固定された後は、作業者がスパウト付き容器Ｓを手で支えられなくとも、安定して保持される。
【００７１】
筒状部材６１の螺旋部６２は、周方向に渡って環状部材３の内周壁部３２に密着し、筒状部材６１の外周面は、周方向に渡って環状部材３の折部３５に密着している。しかし、筒状部材６１の外周面に螺旋部６２を超えて延在方向に延びる凹部６３は環状部材３に接していない。これにより、凹部６３は、各容器の外部と連通し、空気孔として機能する。すなわち、スパウト付き容器Ｓを収容容器Ｖにはめ込んだ状態で、スパウト付き容器Ｓは収容容器Ｖに固定されるが、スパウト付き容器Ｓの内容物は、収容容器Ｖに充填される際に、凹部６３が空気孔として機能することで、円滑に充填される。
【００７２】
次に、詰め替えのステップを説明する。図１２は、収容容器Ｖにスパウト付き容器Ｓの内容物を移し替える詰め替え方法のフロー図を示す。
【００７３】
まず、外キャップ５、内キャップ４、環状部材３が取り付けられた容器本体２からなる収容容器Ｖ(図９(Ｄ)を参照)と、スパウト付き容器Ｓとが準備される(Ｓ−１)。このとき、収容容器Ｖは内容物を消費しており、収容空間２３はほぼ空の状態であり、スパウト付き容器は、十分に内容物を収容している。
【００７４】
次いで、外キャップ５と内キャップ４とが結合した状態で、外キャップ５および内キャップ４、すなわちキャップが取り外される(Ｓ−２)。このとき、キャップは、上方に引かれて取り外される。これにより、収容容器Ｖは、環状部材３が開口部２４に嵌合した容器本体２となる(図９(Ｂ)を参照)。
【００７５】
次いで、環状部材３が開口部２４に嵌合した収容容器Ｖにスパウト付き容器Ｓがはめ込まれる(Ｓ−３)。これにより、スパウト付き容器Ｓの筒状部材６１が環状部材３の孔部３１にはめ込まれる。このとき、筒状部材６１の螺旋部６２が環状部材３の内壁部３１の内周面(内壁)に、また、筒状部材６１の外周面が環状部材３の折部３５に密着する。これにより、スパウト付き容器Ｓが収容容器Ｖに固定される。
【００７６】
次いで、スパウト付き容器Ｓの内容物(液体)が収容容器Ｖに充填される(Ｓ−４)。これにより、収容容器Ｖに詰め替えが行われる。このとき、スパウト付き容器Ｓを上方に、収容容器Ｖを下方に位置するようにすることにより、重力により内容物が移される。ただし、スパウト付き容器Ｓの本体容器部が袋体等であれば、本体容器部を押圧して内容物が移されてもよい。内容物が筒状部材６１を通って収容容器２に移動するとき、凹部６３が空気孔として機能する。
【００７７】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【産業上の利用可能性】
【００７８】
本発明に係る収容容器は、内容物である液体の詰め替えに利用できる。
【符号の説明】
【００７９】
Ｖ      収容容器
Ｓ      スパウト付き容器
２      容器本体
３      環状部材
４      内キャップ
５      外キャップ
６      スパウト部
２１    頸部
２２    肩部
２４    開口部
３１    孔部
４１    注出口
４３ａ  内壁部(内キャップ)の外周面
４５    雄ねじ部
５２ａ  内枠(外キャップ)の内周面
５３    外枠
５５    雌ねじ部
５８    封止部
６１    筒状部材
６２    螺旋部
６３    凹部
【図１】
0006684618.tif 000002
【図２】
0006684618.tif 000003
【図３】
0006684618.tif 000004
【図４】
0006684618.tif 000005
【図５】
0006684618.tif 000006
【図６】
0006684618.tif 000007
【図７】
0006684618.tif 000008
【図８】
0006684618.tif 000009
【図９】
0006684618.tif 000010
【図１０】
0006684618.tif 000011
【図１１】
0006684618.tif 000012
【図１２】
0006684618.tif 000013